(57)【要約】【課題】錠箱内の空間を有効的に活用して複数個の装置を組込むこと。【解決手段】錠箱のラッチ枠部の後方に作動杆枠部を形成し、この作動杆枠部内に設けられたラッチの作動杆及び該作動杆をラッチの突出方向に付勢するラッチバネを基準として錠箱の上方空間には、ラッチカムと係合する仲介スライダー、該仲介スライダーと連動するラッチ用引き戻し揺動アームとを有するラッチ引き戻し装置Ｘを組み込み、一方、錠箱の下方空間には、リリースレバー、該リリースレバーと協働しかつサムターンダルマと係合するスライダーとを有するサムターン錠の締め出し防止装置Ｙを組み込み、その余の空間部分にラッチカム及びサムターンダルマに係脱可能に配設されかつ復帰バネで係合解除の方向に常時付勢されたロック片が移動可能に設けられている室内扉の錠前。【選択図】  図１
2004156338.tif 000002
【特許請求の範囲】
【請求項１】
錠箱のラッチ枠部の後方に作動杆枠部を形成し、この作動杆枠部内に設けられたラッチの作動杆及び該作動杆をラッチの突出方向に付勢するラッチバネを基準として錠箱の上方空間には、ラッチカムと係合する仲介スライダー、該仲介スライダーと連動するラッチ用引き戻し揺動アームとを有するラッチ引き戻し装置Ｘを組み込み、一方、錠箱の下方空間には、リリースレバー、該リリースレバーと協働しかつサムターンダルマと係合するスライダーとを有するサムターン錠の締め出し防止装置Ｙを組み込み、さらに、前記作動杆枠部の後壁とケース身の後壁との間には、前記ラッチカム及び前記サムターンダルマに係脱可能に配設され、かつ、復帰バネで係合解除の方向に常時付勢されたロック片が移動可能に設けられている室内扉の錠前。
【請求項２】
請求項１に於いて、錠箱５のケース身５ａには、内部にラッチ枠部８の後端部に上下方向に複数個の隔壁に相当する水平突壁１０ａ，１０ｂ，１３を棚状に形成し、これらの水平突壁によって形成された上下関係の収納空間にラッチの作動杆と、ラッチカムバネとをそれぞれ水平状態に組み込んだことを特徴とする室内扉の錠前。
【請求項３】
請求項１又は請求項２に於いて、上方の収納空間には、ラッチカムバネと、このラッチカムバネの端部に付勢され、かつ、ラッチカムを常時押圧する係合摺接面を有するカム圧接体６６が水平動自在に組み込まれていることを特徴とする室内扉の錠前。
【請求項４】
請求項１に於いて、扉錠のラッチ引き戻し装置Ｘは、操作ハンドル軸と協働するラッチカムと、このラッチカムに形成したラッチカム係合部に一端部側が係合すると共に、該ラッチカムの駆動力により水平移動する横長状仲介スライダーと、この仲介スライダーの他端部と垂直方向に交差するように一端部が枢軸に軸支され、かつ、該仲介スライダーに設けた突起ピンに枢支端部寄り部位が係合するラッチ用引き戻し揺動アームと、この揺動アームの下端部と係合するラッチの作動杆とから成ることを特徴とする室内扉の錠前。
【請求項５】
請求項１に於いて、サムターン錠の締め出し防止装置Ｙは、作動杆に底壁部に形成したレバー逃がし用切欠部の被係合面に先端部の係合爪部が係合するように軸支されたリリースレバーと、このリリースレバーの下端部に先端部側が係合するように設けられ、かつ、水平方向に摺動するスライダーとから構成されていることを特徴とする室内扉の錠前。
【発明の詳細な説明】
【０００１】
【発明の属する技術分野】
本発明は、複数個の装置（機能）、特にラッチ引き戻し装置とサムターン錠の締め出し防止装置とを備えた室内扉の錠前に関する。
【０００２】
【従来の技術】
従来技術として特開平１０−３０３６８号公報に記載の発明を指摘することができる。この公報に記載の実施例は、錠箱内にラッチ引き戻し装置を構成する各部材をラッチの軸（柄部）方向に、いわば直線的に組み込んでいる。すなわち、ラッチ軸を有するラッチボルトを基準にして、錠箱内の上方空間に第１摺動部材（長板状のＬ型スライダー片）を配設し、一方、錠箱内の下方空間に第２摺動部材（長板状のＬ型スライダー片）を配設し、これら上下の摺動部材の後端部にそれぞれ係合するようにカムラッチ（ハンドル軸で回転するハブ）を設け、該カムラッチと上下の摺動部材との間に錠箱に軸支された揺動レバー等を設けている。
【０００３】
もちろん、この従来例も錠箱内の各部材を効率良く配設（スペースを有効的に活用する）ことを目的としているが、前述したように、ラッチ引き戻し装置を構成する各部材をラッチボルトの軸（柄部）方向に、いわば直線的に組み込んでいるので、必ずしもスペースを有効的に活用しているものとはいうことができない。
【０００４】
したがって、錠箱内にラッチ引き戻し装置（機構）以外にも、その他の装置（機構）、例えばサムターン錠の締め出し防止装置を設けるには無理がある。そこで、もっと、ラッチ引き戻し装置を構成する各部材の配置、組み合わせ、各部材の協働関係を工夫して錠箱内のスペースを有効的に活用することが望まれる。
【０００５】
【発明が解決しようとする課題】
本発明の第１の目的は、錠箱内の限られた空間に各部材を合理的に配設して錠箱をコンパクト化することである。第２の目的は、錠箱内に各部材を簡単に組み込むことができることである。第３の目的は、錠箱内の限られた空間を有効的に活用して錠箱にラッチ引き戻し装置、サムターン錠の締め出し防止装置等を設けることである。
【０００６】
【課題を解決するための手段】
本発明の室内扉の錠前は、錠箱に、錠箱のラッチ枠部の後方に作動杆枠部を形成し、この作動杆枠部内に設けられたラッチの作動杆及び該作動杆をラッチの突出方向に付勢するラッチバネを基準として錠箱の上方空間には、ラッチカムと係合する仲介スライダー、該仲介スライダーと連動するラッチ用引き戻し揺動アームとを有するラッチ引き戻し装置Ｘを組み込み、一方、錠箱の下方空間には、リリースレバー、該リリースレバーと協働しかつサムターンダルマと係合するスライダーとを有するサムターン錠の締め出し防止装置Ｙを組み込み、さらに、前記作動杆枠部の後壁とケース身の後壁との間には、前記ラッチカム及び前記サムターンダルマに係脱可能に配設され、かつ、復帰バネで係合解除の方向に常時付勢されたロック片が移動可能に設けらたことを特徴とする。
【０００７】
上記構成に於いて、錠箱５のケース身５ａには、内部にラッチ枠部８の後端部に上下方向に複数個の隔壁に相当する水平突壁１０ａ，１０ｂ，１３を棚状に形成し、これらの水平突壁によって形成された上下関係の収納空間にラッチの作動杆と、ラッチカムバネとをそれぞれ水平状態に組み込んだことを特徴とする。
【０００８】
そして、扉錠のラッチ引き戻し装置Ｘは、操作ハンドル軸と協働するラッチカムと、このラッチカムに形成したラッチカム係合部に一端部側が係合すると共に、該ラッチカムの駆動力により水平移動する横長状仲介スライダーと、この仲介スライダーの他端部と垂直方向に交差するように一端部が枢軸に軸支され、かつ、該仲介スライダーに設けた突起ピンに枢支端部寄り部位が係合するラッチ用引き戻し揺動アームと、この揺動アームの下端部と係合するラッチの作動杆とから成ることを特徴とする。
【０００９】
これに対し、サムターン錠の締め出し防止装置Ｙは、作動杆に底壁部に形成したレバー逃がし用切欠部の被係合面に先端部の係合爪部が係合するように軸支されたリリースレバーと、このリリースレバーの下端部に先端部側が係合するように設けられ、かつ、水平方向に摺動するスライダーとから構成されていることを特徴とする。
【００１０】
なお、本明細書に於いて、「回動」とは、軸を中心に正逆方向に揺動する円運動の意味合いで用いる。
【００１１】
【発明の実施の形態】
図１乃至図１０を参照にして本発明の一実施例を説明する。まず、環境部材について簡単に説明する。１は寝室、トイレ等の出入口の戸枠、２はストライクを有する受け金具、３は戸枠の縁（直接的にはストライクも含まれる）、４は水平方向に回動して出入口を開閉する室内扉、５は室内扉の戸先に設けられ、かつ、ラッチカムの駆動力によりラッチが錠箱内に後退するラッチ引き戻し装置Ｘ及びサムターン錠の締め出し防止装置Ｙを備えた錠箱、６は錠箱５の一部を構成するフロントである。
【００１２】
次に錠箱５について簡単に説明する。錠箱５は、図２で示すように、ケース身５ａと、このケース身の一側開口を閉鎖するケース蓋５ｂとから成る。ここでは、まず図２を参照にしてケース身５ａの構成を説明する。
【００１３】
７は長板状の取付け前板で、この取付け前板７は図しない固着具を介して前述したフロント６と合体する。８はフロント６並びに取付け前板７に形成した開口窓を基準にしてケース身５ａに対向壁状に形成された隔壁状のラッチ枠部で、このラッチ枠部８は、ケース身５ａの中央部先端部（図では左側）に取付け前板７の内壁面からケース身５ａの後壁９に向かって水平状態に設けられ、その後端部側は対称的なＬ型形状となっている。
【００１４】
１０はラッチ枠部８の後端部に連設する隔壁状の作動杆枠部で、この作動杆枠部１０は、上方水平突壁１０ａと、この上方水平突壁１０ａに対して所要の収納空間を設けて対向する下方水平突壁１０ｂと、これらの水平突壁１０ａ，１０ｂの後端部に直交して連設する後突壁１０ｃとから成る。
【００１５】
１１は前記下方水平突壁１０ｂの一部に形成したサムターン錠の締め出し防止装置Ｙを構成するリリースレバー用の切欠部である。このリリースレバー用切欠部１１の直下方にレバー用固定軸１２が形成されている。
【００１６】
ところで、ラッチ枠部８の後端部には、もう一つの収納空間を形成する突壁状の枠部が連設形成されている。本実施例では、作動杆枠部１０の前記上方水平突壁１０ａが一部兼用している。すなわち、１３は所要のバネ収納空間１４を形成するために上方水平突壁１０ａと対向状態に設けられた第３の水平突壁である。
【００１７】
したがって、本実施例のケース身５ａは、内部にラッチ枠部８の後端部に上下方向に複数個の隔壁に相当する水平突壁１０ａ，１０ｂ，１３を棚状に形成し、これらの水平突壁によって形成された上下関係の収納空間に後述のラッチの作動杆と、ラッチカムバネとをそれぞれ水平状態に組み込んでいる。これによりケース身５ａの内部空間を有効的に活用している。なお、本実施例ではラッチ枠部８の後端部に連設する複数個の水平突壁１０ａ，１０ｂ，１３を連続的に形成しているが、一部に切欠部を形成しても良い。
【００１８】
次に１５は前記第３の水平突壁１３の上壁内面に連設形成された筒状嵌合突起で、この筒状嵌合突起１５は、第３の水平突壁１３の外端面よりも若干外側に突出し、本実施例ではケース蓋５ｂの上端部の中央部に形成した図示しない合体用嵌合孔と嵌合する。１７は同じく前記第３の水平突壁１３の上壁及び筒状嵌合突起１５の外周壁の一部に連設形成されたラッチカム用の第１ストッパー部である。この第１ストッパー部１７は、ケース身５ａの上壁１８と対向する側に傾斜状のストッパー面１７ａと、このストッパー面１７ａに角度方向に弧状に連設するガイド面１７ｂとを有している。
【００１９】
次に１９は第１ストッパー部１７のガイド面１７ｂと対向するようにケース身５ａの後壁９の内壁面に突設された筒状突起のラッチカム用第２ストッパー部である。このラッチカム用第２ストッパー部１９と前記第１ストッパー部１７との間に、後述するラッチカム用の嵌合孔２０が形成されている。
【００２０】
次にケース身５ａには、組み込まれる幾つかの部材を水平方向に案内するための水平案内部（水平案内溝、水平長孔など）が上方側と下方側にそれぞれ形成されている。
【００２１】
すなわち、作動杆枠部１０又は後述の作動杆を基準にして上方側には、前述した第３の水平突壁１３とケース身５ａの上壁１８の先端部側（左側）との間に仲介スライダー用の第１案内長孔２１が形成されている。また第３の水平突壁１３の後端部と作動杆枠部１０の上方水平突壁１０ａの後端部との間にカム圧接片用の第２案内長孔２２が形成されている。一方、その下方側には、正確には作動杆枠部１０の下方水平突壁１０ｂの下方空間には、２本の案内水平部（例えば水平案内溝）２６，２６が上下の位置でオフセット状態に形成されている。ケース身５ａの下方空間には、後述するサムターンダルマ用の軸孔２７も形成されている。
【００２２】
次に２３は仲介スライダー用第１案内長孔２１とケース身５ａの上壁１８の先端部との間に突出形成された引き戻し揺動アーム用枢軸である。そして、ケース身５ａの適宜箇所、例えば上部の左右には、メネジを有する複数個の取付け突起２４，２４が設けられ、その一つ（右側の取付け突起）は、ラッチカム用第３ストッパー部の機能を果す。
【００２３】
次に２８はケース身５ａの後壁９の中央部付近に突設されたロック片用の第２枢軸である。ケース蓋５ｂには、ラッチカム用嵌合孔、合体用嵌合孔、複数個の水平長孔、複数個の取付け用貫通孔が形成されているが、図示及び説明を割愛する。
【００２４】
以上が本発明の複数個の装置（機構）に関係があるケース身５ａの構成である。そこで、まず、ラッチ引き戻し装置Ｘから説明する。
【００２５】
まず、３０は操作ハンドル軸（芯軸）３１と協働するラッチカムである。ラッチカム３０はケース身５ａ及びケース蓋５ｂの嵌合孔２０に嵌合する。ラッチカム３０は操作ハンドルの操作によって回動可能である。普通一般に内外の操作ハンドルが水平状態に位置している場合（初期位置）には、ラッチは錠箱のフロントから突出している。したがって、操作ハンドルを所定角度まで押し下げると、ラッチは錠箱内に後退する。本実施例も同様である。
【００２６】
さて、図１及び図３を参照にしてラッチカム３０の構成を説明する。３２はハンドル軸３１が貫通する角軸孔を有する筒状嵌合部（ハブ）、３３は筒状嵌合部３２の周壁に連設する環状の摺接部、３４は環状摺接部３３の一部から半径方向に突出形成された魚の尻尾形状のロック片用被係合部、３５は同じく環状摺接部３３の一部から半径方向に突出形成された一部魚の尻尾形状の仲介スライダー用ラッチカム係合部である。
【００２７】
ラッチカム係合部３５はロック片用被係合部３４に対して反対方向（図では上方）に位置し、操作ハンドル３６が初期位置（水平位置）にある時は、ラッチカム用第１ストッハー部１７のストッパー面１７ａに圧接している。この時同時に前記ロック片用被係合部３４は後壁側の第２ストッパー部１９に圧接している。
【００２８】
次に４０はラッチカム３０のラッチカム係合部３５に一端部側（図１では後端部側）が係合すると共に、該ラッチカムの駆動力により水平移動する横長状仲介スライダーである。この横長状仲介スライダー４０は、本実施例では、図１で示すようにケース身５ａの上壁１８の内壁面に沿うよう配設されている。
【００２９】
図３を参照に仲介スライダー４０を説明する。仲介スライダー４０は、外観上、ピストル形状の枠片部材である。一端部に細い突片部４１が形成されているが、この突片部４１はケース身の上壁１８の内壁面と摺接可能である。４２は一端部の上壁部分に形成され、かつ、前述したラッチカム係合部３５に遊嵌合状態に係合する矩形状の被係合部（例えば係合孔）である。
【００３０】
仲介スライダーの他端部（図１では先端部側）は逆Ｌ字状になっている。つまり、他端部は下方に段差状に連設している。この他端部には一対の貫通小孔４３が形成され、該貫通小孔４３には、突起ピン４４が貫通状態に設けられている。突起ピン４４と仲介スライダー４０とは一体的である。突起ピン４４の突出端部は、ケース身５ａ及びケース蓋５ｂの第１案内長孔２１に係合している。
【００３１】
したがって、仲介スライダー４０は、該突起ピン４４にも案内されて水平移動する。なお、仲介スライダー４０がケース身の後壁９側に移動した場合には、その後端部の内側の弧状面４５は、ケース身５ａの筒状嵌合突起１５の外周面に当接可能である。
【００３２】
次に４６は仲介スライダー４０の他端部と交差するように一端部（図１では上端部）が第１の枢軸２３に軸支され、かつ、該仲介スライダーに設けた突起ピン４４に枢支端部寄り部位が係合するラッチ用引き戻し揺動アームである。
【００３３】
図４を参照にして仲介スライダー４０と協働する引き戻し揺動アーム４６について説明する。４７は枢支端部に形成された軸孔、４８は長板部、４９は一部円形状の自由端部である。軸孔４７は前述したように第１の枢軸２３に嵌り合う。長板部４８はケース身５ａの第３水平突壁１３及び作動杆枠部の上方水平突壁１０ａに跨っている。したがって、自由端部４９は作動杆枠部１０内の先端部側に臨んでいる。本実施例では、引き戻し揺動アーム４６の自由端部４９は、次に説明する作動杆の側壁の係合溝に係合するように添設されている。
【００３４】
次に５０は引き戻し揺動アーム４６の自由端部４９と係合するように作動杆枠部１０内にラッチバネ５１と共に水平状態に配設されたラッチの作動杆である。この作動杆５０はラッチ枠部１４内の空間と連通する所要の空間内にラッチバネ１７に付勢された状態で組み込まれ、水平方向に摺動自在に移動可能である。ラッチの作動杆５０は、図４で示すように端面矩形状の短い角材形状（角柱体）である。
【００３５】
しかして、５２は作動杆５０の先端部に形成されたラッチ軸用の段差状被嵌合溝で、この被嵌合溝５２に後述するラッチ軸の鍔状嵌合部が嵌め込まれる。一方、５３は作動杆５０の後端部の壁面に形成されたラッチバネ用のバネ端収納凹所（バネ端支持部）で、このバネ端収納凹所５３と作動杆枠部１０の後壁１０ｂとの間にラッチ６１を間接的に付勢するラッチバネ５１が横状態に組み込まれている。
【００３６】
５４は作動杆５０の底部の後端部寄り一部に横方向に沿って形成され、かつ、切欠部内の前方側に垂直或いは傾斜状の被係合面５５を有するレバー逃し用切欠部である。
【００３７】
さらに、５６は一側壁（図１を基準にすると正面の壁面）の先端部寄り一部に上端部の縁辺から底部付近に至るまで形成されたやや幅広の係合溝で、この幅広係合溝５６には、前述したように引き戻し揺動アーム４６の自由端部４９が余裕（下方に多少の間隙）を持って係合する。
【００３８】
次にフロント６を基準にして出没するラッチ６１について、図４を参照に説明する。このラッチ６１は、係合頭部６２と、この係合頭部６２に一体的に設けられたラッチ軸６３とから成り、前記係合頭部６２は、戸枠１の縁部３に当る傾斜状摺接面６２ａと、この傾斜状摺接面と交差し、閉戸時に受け金具２のストライクに係止される衝止面或いは係合面６２ｂと、この係合面６２ｂと直交する後壁面６２ｃとを有している。
【００３９】
また前記ラッチ軸６３は、その後端部に環状溝に連設する鍔状嵌合部６３ａを有している。ラッチ６１は、閉戸時に戸枠１の縁部３に当って後退する機能を有するのであれば、その形態や機能を特に限定するものではない。したがって、後退しながら回動する反転ラッチでも良い。本実施例では、ラッチ６１はラッチ軸６３を介して作動杆５０に一体的に合体している。
【００４０】
最後に、６５は図１で示すように、バネ収納空間１４に組み込まれたラッチカムバネで、このラッチカムバネ６５は、ケース身５ａの第２案内長孔２２に案内されるブロック形状のカム圧接体６６を介してラッチカム３０を初期位置に押し戻す機能を有する。
【００４１】
前記カム圧接体６６は、図３で示すようにラッチカム３０の摺接部３３乃至被係合部３４と摺接する曲率を有する係合摺接面６６ａと、前記第２案内長孔２２と係合する一対の小突起６６ｂとを有する。
【００４２】
次に図１及び図５を参照にして作用について説明する。図１は仮想線で示す操作ハンドル３６が水平状態に位置している場合している。この場合、ラッチ６１はラッチバネ５１のバネ力により、しかも作動杆５０を介してフロント６から突出している。一方、ラッチカム３０は、ラッチカムバネ６５の比較的強いバネ力により、カム圧接片６６を介して反時計方向に回動し、その下方の被係合部３４が第２ストッパー部１９に当接している。この時、仲介スライダー４０は、フロント６側に多少後退し、協働関係にある引き戻し揺動アーム４６は、略垂直状態に垂れ下がっている。
【００４３】
そこで、図５で示すように、操作ハンドル（例えばレバーハンドル）３６を下げる。図５は操作ハンドル３６を下げた中途状態の説明図であるが、操作ハンドル３６を下げると、操作ハンドル軸３１と一体のラッチカム３０は、操作ハンドルの回動に伴い、ラッチカムバネ６５のバネ力に抗して時計方向に回り始める。
【００４４】
したがって、図５の矢印で示すように、仲介スライダー４０とカム圧接片６６の移動方向が逆になる。すなわち、仲介スライダー４０は、その被係合部４２がラッチカム３０のラッチカム係合部３５に係止されているために、ラッチカム３０が時計方向に回動すると、第１案内長孔２１及びケース身５ａの上壁１８に案内されて移動する。この時仲介スライダー４０の突起ピン（可動ピン）４４は錠箱５の水平案内部２１に案内されて移動するため、引き戻し揺動アーム４６は枢軸２３を支点に矢印で示す反時計方向に回動する。したがって、作動杆５０はラッチバネ５１のバネ力に抗して後退する。しかして、ラッチ６１は作動杆５０とラッチ軸６３を介して一体的に結合しているから、作動杆５０が後退すると、錠箱５内へと後退する。
【００４５】
したがって、本発明の扉錠のラッチ引き戻し装置Ｘは、ラッチカム３０が操作ハンドル軸３１によって回動すると、仲介スライダー４０及び引き戻し揺動アーム４６が協働してラッチの作動杆５０をラッチバネ５１のバネ力に抗して後退動させる。
【００４６】
次に錠箱５の下方空間に組み込まれるサムターン錠の締め出し防止装置Ｙについて説明する。ここで、「サムターン錠」とは、住宅内部におけるハンドル錠の施錠装置の意味である。また「締め出し防止装置」とは、建物の出入口又はトイレ、寝室などの室内の出入口に設けた室内扉を、扉が開いている時に施錠して、その後に扉を不注意に閉じた際に締め出し事態が発生する場合を防止するための錠を意味する。また「ハンドル錠のハンドル」には、レバーハンドルの他にノブも含まれる。
【００４７】
さて、本実施例では、錠箱５の内部空間を有効的に活用するために、図１で示すように、作動杆枠部１０を基準とし、錠箱５の上方空間にはラッチ引き戻し装置Ｘを構成する主たる部材が、一方、錠箱５の下方空間にはサムターン錠の締め出し防止装置Ｙを構成する主たる部材がそれぞれ組み込まれている。
【００４８】
そこで、まず、図１を参照にしてこの締め出し防止装置Ｙを簡単に説明する。この締め出し防止装置Ｙは、ラッチバネ５１のバネ力によって突出するラッチ６１と、操作ハンドル３６の操作によって回動可能なラッチカム３０と、施錠時に該ラッチカム３０の回動をロックするロック片１００と、該ロック片の回動を阻止する駆動腕を有するサムターンダルマ９０と、作動杆枠部１０の下方に配設されたサムターンダルマ用リリース構成部材７１とから成っている。
【００４９】
図６はリリース構成部材７１を示す。このリリース構成部材７１は、作動杆５０の被係合面５５に先端部の係合爪部が係合するように固定軸１２に軸支されたプレート状のリリースレバー７２と、このリリースレバー７２の下端部に先端部側が係合するように設けられ、かつ、水平方向に摺動するプレート状のスライダー８０とから構成されている。
【００５０】
図６を参照にしてリリースレバー７２等を説明する。７５は上端部に形成された軸孔、７６は上端部の一部に半径方向に突設された係合爪部、７７は下端部の一側面に突設された小突起軸、７８は小突起軸とは反対側に突設された摺接部である。前記係合爪部７６は、サムターン施錠時に作動杆５０の被係合面５５に対向する。本実施例では、作動杆５０の被係合面５５はレバー逃し用切欠部５４の一部を構成するために、ラッチ６１の後退動により作動杆５０がラッチバネ５１のバネ力に抗して後退した時は、作動杆５０の被係合面５５に押されながら固定軸１２を支点に回動する。
【００５１】
横長板状のスライダー８０は、リリースレバー７２とサムターンダルマ９０との間に介在し、室内扉４の閉戸時にリリースレバー７２に連動してサムターンダルマ９０の駆動腕９１をロック片１００から引き離す役割を果す。したがって、スライダー８０には、両方の部材７２，９０に関係する複数個の係合部或いは被係合部（係合溝、係合孔、係合突起など）が設けられている。
【００５２】
すなわち、８１は幅広の先端部側の下部に形成された第１の垂直案内長孔で、この第１の垂直案内長孔８１にはリリースレバー７２の小突起軸７７が係合する。また８２は後端部側に形成された第２の垂直案内長孔で、この第２の垂直案内長孔８２にはサムターンダルマ９０の駆動腕９１に突設した突起軸９２が係合する。８３はスライダー３３の一側面の適宜部位に突設され、かつ、ケース身５ａの水平案内溝２６，２６にそれぞれ係合する複数個のスライダー案内軸である。
【００５３】
図７を参照にしてサムターンダルマ９０を説明する。サムターンダルマ９０は錠箱５の下部軸孔（嵌合孔）２７に嵌合する左右一対の筒状嵌合部（ハブ）９３，９３と、これらの筒状嵌合部の間に位置する大径筒状部９４と、この大径筒状部９４の外周壁の一部から半径方向に延びる前述の駆動腕９１と、この駆動腕９１の先端部に突設した前述の突起軸９２と、この突起軸９２の形成位置とは反対でかつ大径筒状部乃至駆動腕９１の一側壁に連設形成した山形状のバネ受け部９５とから成る。
【００５４】
９６はサムターンダルマ９０を所定位置に押さえ付けるサムターンダルマバネで、このサムターンダルマバネ９６は、図１で示すように中央部が固定軸１２に巻装されていると共に、その一端部が作動杆枠部１０の下壁１０ｂに圧接し、一方、その長い方の他端部は前記バネ受け部９５に乗っかっている。
【００５５】
１００はケース身の後壁９と作動杆枠部１０の後壁１０ｃとの間に設けられた支軸２８に軸支されたラッチカム用ロック片である。このロック片１００は、先端部が錠箱５の上方のラッチカム３０に、一方、下端部がラッチカム３０の略真下に位置するサムターンダルマ９０の駆動腕９１にそれぞれ係脱するようにケース身５ａの後壁９側の中央部に配設されている。
【００５６】
図８はラッチカム用ロック片の一例を示す。ロック片１００は、任意形状の金属板を対向状態に折り曲げ、内部に復帰バネ１０２を内装するバネ収納空間１０３を形成している。１０４は錠箱５に横設軸架された支軸２８用の軸孔、１０５はこの軸孔１０４を基準にした上方の第１係合部、一方、１０６は軸孔１０４を基準にした下方の第２係合部である。
【００５７】
しかして、前記第１係合部１０５はラッチカム３０の被係合部３４に係脱する。ラッチカム３０の前記被係合部３４は、サムターン施錠時にその中央部の窪み部分にロック片１００の指状第１係合部１０５が係合する。
【００５８】
一方、前記第２係合部１０６は、ロック片１００の一側壁下端部の一部を指状に延設することによって形成され、サムターン施錠時にサムターンダルマ９０の駆動腕９１の先端部に押し付けられる。１０７は所要の切欠空間１０８を有して前記第２係合部１０６に対向するロック片の当り部で、この当り部１０７は、設計如何によりサムターンの解錠時に作動杆枠部１０の後壁１０ｃに当てることが可能である。
【００５９】
次に図１、図９及び図１０を参照に作用について説明する。まず、図１はトイレなどの室内扉４を閉じた時における扉錠（特にサムターン錠）の状態である。図１ではサムターンダルマ９０の駆動腕９１はロック片１００の下方の第２係合部１０６から離れて左側に位置している。
【００６０】
したがって、トイレに入った居住者が、サムターン錠を施錠したい時は、図示しないサムターンを施錠方向に回動すると、サムターンダルマ９０は、図９の矢印で示すように時計方向に回動する。そうすると、その駆動腕９１の先端部がロック片１００の第２係合部１０６を押し付ける。これにより、ロック片１００は復帰バネ１０２のバネ力に抗して反時計方向へと回動する。その結果、ロック片１００の指状係合部１０５がラッチカム３０の被係合部３４に係合する。この時、当該室外から誰かが外側の操作レバーを回そうとしても、ラッチカム３０がロック片１００等にストッパーされているので、室内扉４を開けることができない。またこの時、リリース構成部材７１は駆動腕９１の動きに連動するので、スライダー８０が右側（ロック片側）へと移動すると共に、反時計方向へと回動したリリースレバー７２の係合爪部７６は作動杆５０の被係合面５５に対向する。
【００６１】
ところで、一般に居住者がトイレ等に入っている時に、このようにサムターン（サムターンダルマ）を施錠方向（時計方向）に回してロック片１００をラッチカム３０に係止させることには何ら問題はない。何故ならば、トイレ等から出る時は、必ずサムターンダマル９０を解錠方向に戻し、ロック片１００のロックを解かない限り、室内扉４を開けることができないからである。
【００６２】
しかしながら、日常の経験則として、例えば子供が当該室内の外にいて室内扉４を開いた場合に於いて、戯れ或いは不注意にサムターンを施錠方向へ回して室内扉４を閉める場合がある。また、大人であっても室内扉４を開いた場合に不注意によりサムターンを施錠方向へ回す場合もある。このように室外から室内扉を閉めた場合、いわゆる「締め出し事態」となり、室内扉４の外壁面側から、図示しないピン、コイン、鍵などを操作しない限り、容易にサムターン錠を解錠することができないことになる。
【００６３】
そこで、本発明の実施例に於いて、図１０で示すように、室内扉４の閉戸時、ラッチ６１が戸枠１の縁３に当って後退すると、リリース構成部材７１が作動杆５０の後退動に協働し、サムターンダルマ９０の駆動腕９１をロック片１００の第２係合部１０６から引き離す。
【００６４】
すなわち、作動杆５０がラッチ６１に押され、かつ、ラッチバネ５１のバネ力に抗して後退すると、リリースレバー７２は、その係合爪部７６が作動杆５０の被係合面５５に押されるため、固定軸１２を支点に時計方向へと回動する。リリースレバー７２が時計方向へと回動すると、スライダー８０は矢印で示すようにフロント６側へ摺動する。この時スライダー８０はサムターンダルマ９０の駆動腕９１を引っ張るので、駆動腕９１はロック片１００の第２係合部１０６から離れる。駆動腕９１が第２係合部１０６から離れると、ロック片１００は自由となり、復帰バネ１０２のバネ力により係合解除の方向へ自動的に回動する。したがって、室内扉４の閉戸時、ラッチ６１が後退することにより、いわゆるインナーロックは常に解消される（常に図１の状態となる）。
【００６５】
【実施例】
本実施例では、ロック片１００は、固定枢軸２８に枢支された回動するが、固定枢軸２８は可動枢軸であっても良い。この場合、例えば錠箱５に可動枢軸用の案内長孔を形成する。しかして、固定枢軸２８が錠箱５に案内される可動軸である場合には、サムターンダルマ９０の駆動腕９１がロック片１００の第２係合部１０６から離れると、ロック片１００は、復帰バネ１０２のバネ力により係合解除の方向へ移動する。
【００６６】
また、本実施例のラッチ６１とラッチ用作動杆とは別部材を一体的に連結されているが、ラッチ６１のラッチ軸６３に引き戻し揺動アーム４６の自由端部が係合する係合部（幅広溝）を有するラッチ作動杆を形成しても良い（これも同一発明である）。また本実施例の係合部又は被係合部の関係は逆であっても良い。例えばラッチカム３０に形成したラッチカム係合部３５は突起であるが、これを被係合部としての溝にし、一方、横長状仲介スライダー４０の一端部の形成した係合孔４２を、係合突起としての係合部に設計変更しても良い。また、仲介スライダーに設けた突起ピン４４とラッチ用引き戻し揺動アーム４６の枢支端部寄り部位との係合についても、両部材４４，４６の溝や係合孔の係合関係に設計変更することができるから、このような変更例に関しても、「枢支端部寄り部位が係合している」意味に含まれる。
【００６７】
さらに、仲介スライダー４０は、後端部の一対の貫通小孔４３に錠箱５の水平案内部に案内される突起ピン４４を貫設しているが、少なくとも引き戻し揺動アーム４６を揺動させる機能を有するのであれば、仲介スライダーの後端部に一対或いは一つの突起軸を形成しても良い。
【００６８】
【発明の効果】
以上の説明から明らかなように、本発明にあっては、次に列挙するような作用・効果がある。
（１）錠箱内の限られた空間に各部材を合理的に配設して錠箱をコンバクト化することができる。
（２）錠箱内に各部材を簡単に組み込むことができる。
（３）錠箱内に、作動杆枠部を基準にして、上方にラッチ引き戻し装置、下方にサムターン錠の締め出し防止装置、右側の作動杆枠部の後壁とケース身の後壁との間に両装置の関連するロック片をそれぞれ組み込むことができる。したがって、錠箱内の限られた空間を有効的に活用することができる。
【図面の簡単な説明】
図１乃至図１０は、本発明の一実施例を示す各説明図。
【図１】室内扉の閉戸時における正面から見た説明図。
【図２】ケース身に説明図。
【図３】ラッチカムを中心とする説明図。
【図４】作動杆を中心とする説明図。
【図５】ラッチ引き戻し装置の作用（中途状態）の説明図。
【図６】リリース構成部材の説明図。
【図７】サムターンダルマの説明図。
【図８】ロック片の斜視図。
【図９】サムターン錠の施錠時の概略説明図。
【図１０】サムターン錠の解錠時の概略説明図。
【符号の説明】１…戸枠、２…受け金具、３…縁、４…扉、５…錠箱、５ａ…ケース身、５ｂ…ケース蓋、Ｘ…ラッチ引き戻し装置、Ｙ…サムターン錠の締め出し防止装置、６…フロント、７…取付け前板、８…ラッチ枠部、９…ケース身の後壁、１０…作動杆枠部、１０ａ…上方水平突壁、１０ｂ…下方水平突壁、１１…切欠部、１２…レバー用固定軸、１３…第３の水平突壁、１４…バネ収納空間、１５…嵌合突起、１７…ラッチカム用第１ストッパー部、１８…ケース身の上壁、１９…第２ストッパー部、２０…嵌合孔、２１…第１案内長孔、２２…第２案内長孔、２３…枢軸、２４…取付け突起、２５…ロック片用の第２の枢軸、２６…スライダー用水平案内部、２７…サムターンタルマ用軸孔（嵌合孔）、３０…ラッチカム、３１…操作ハンドル軸、３２…筒状嵌合部、３３…摺接部、３４…被係合部、３５…ラッチカム係合部、３６…操作ハンドル、４０…仲介スライダー、４１…突片部、４２…仲介スライダーの被係合部、４３…貫通小孔、４４…突起ピン、４４…突起ピン（突起軸）、４５…弧状面、４６…引き戻し揺動アーム、４７…軸孔、４８…長板部、４９…自由端部、５０…作動杆、５１…ラッチバネ、５２…被嵌合溝、５４…レバー逃し用切欠部、５５…切欠部の被係合面、５６…幅広係合溝、６１…ラッチ、６２…係合頭部、６３…ラッチ軸、６５…ラッチカムバネ、６６…カム圧接体、７１…リリース構成部材、７２…リリースレバー、７５…軸孔、７６…係合爪部、７７…小突起軸、７８…摺接部、８０…スライダー、８１…第１の垂直案内長孔、８２…第２の垂直案内長孔、８３…スライダー案内軸、９０…サムターンダルマ、９１…駆動腕、９２…突起軸、９３…筒状嵌合部（ハブ）、９４…大径筒状部、９５…バネ受け部、９６…サムターンダルマバネ、１００…ラッチカム用ロック片、１０２…復帰バネ、１０３…バネ収納空間、１０４…ロック片の軸孔、１０５…第１係合部、１０６…第２係合部。
【図１】
2004156338.tif 000003
【図２】
2004156338.tif 000004
【図３】
2004156338.tif 000005
【図４】
2004156338.tif 000006
【図５】
2004156338.tif 000007
【図６】
2004156338.tif 000008
【図７】
2004156338.tif 000009
【図８】
2004156338.tif 000010
【図９】
2004156338.tif 000011
【図１０】
2004156338.tif 000012